(57)【特許請求の範囲】
【請求項１】
油入変電機器とこの近傍に設置する他の機器間を、ブッシングと接続導体を用いて電気的に接続すると共に、前記接続個所は防護用ダクトにて包囲した油入変電機器において、前記防護用ダクトには火災感知器及びダクト用放圧手段を設け、前記防護用ダクトの近辺に不活性ガス消火剤貯蔵ユニットを設置し、かつ前記防護用ダクトに不活性ガスを噴出させる少なくとも一つの噴出ヘッドを取付け、前記不活性ガス消火剤貯蔵ユニットと噴出ヘッド間を配管にて接続し、前記不活性ガス消火剤貯蔵ユニットは、前記油入変電機器の油温度計や圧力計の予め定めた出力信号値、或いは放圧装置の動作信号のいずれかに基づいて、又はこれら信号の組み合わせのうち複数が予め定めた状態に達したとき動作すると共に、前記火災感知器の感知出力にて前記不活性ガス消火剤貯蔵ユニットが応動するように構成したことを特徴とする油入変電機器の消火装置。
【発明の詳細な説明】
【技術分野】
【０００１】
本発明は油入変電機器の消火装置に係り、特に油入変電機器と他の機器間を、油入変電機器に設けるブッシング及び接続導体により電気的に接続して防護用ダクトにて包囲する構造の油入変電機器の消火装置に関する。
【背景技術】
【０００２】
油入変電機器、例えば油入変圧器は制御盤等の他の機器を近傍に設置しており、両者間は油入変圧器に設けるブッシング等で支持された端子に、銅板やケーブル等の接続導体を用いて電気的に接続を行って使用される。
【０００３】
通常油入変圧器は、タンク内に絶縁油としての鉱油を多量に封入している構造であるから、ブッシングの構成部品である碍管部分が、例えば地震によって破損して絶縁油が漏れ出すと、火災が発生してしまう懸念がある。このため、油入変圧器の絶縁油として、鉱油に代えて難燃性のシリコーン油を使用することも行われている。
【０００４】
しかし、絶縁油として用いる鉱油だけでなくシリコーン油であったとしても、碍管等の破損個所からミスト状となって大気中に噴出する場合には、常温でも発火する恐れがあることは良く知られている。このため、油入変圧器は消火装置を備える等の消火対策を考慮する必要がある。
【０００５】
従来の油入変圧器では、万一の火災対策として、油入変圧器の外面に消火器を固定し、消火器と接続した配管の先端に設ける放出口を、油入変圧器の上方の全面を対象として配置しておき、火災の際に油入変圧器に向けて放出口から不活性ガスを噴射することが行われている（特許文献１参照）。
【０００６】
また、騒音防止用の防音タンク或いは建屋内に油入変圧器を配置する構造では、ガス消火装置を内部と接続して設け、火災の際にガス消火装置から消火ガスを内部全体に噴出させ、内部を消火ガスで満たしてしまうことも提案されている（特許文献２参照）。
【０００７】
また、工場の換気ダクトや搬送ダクト等のダクト内で火災が生じたとき、ダクト内を流れる空気流を停止してダクト内に大量の消火用ガスや泡を注入、或いはダクト内の空気流を停止することなく放出できるガス放出ノズルを設けることも知られている（特許文献３参照）。
【０００８】
【特許文献１】特開２００５−２５１８２６号公報
【特許文献２】特開２００４−１１１８５８号公報
【特許文献３】特開昭６２−１９７０７５号公報
【発明の開示】
【発明が解決しようとする課題】
【０００９】
しかし、特許文献１のように油入変圧器の外部に消火器を備える場合、大型である油入変圧器では、損傷し易い個所を重点に設けるとしても、多数の放出口や消火器を設けねばならない欠点がある。
【００１０】
また、特許文献２のように大型の油入変圧器を設置した建屋等の内部と接続するガス消火装置を備える場合、内部の大空間部分を消火ガスで速やかに満たすには、ガス消火装置は噴出能力が大きなものを必要とし、設備全体を油入変圧器に経済的に設けることができない問題がある。
【００１１】
本発明の目的は、油入変電機器と他の機器とを接続する個所を、火災発生の恐れのある部位に特定化し、この特定部のみに不活性ガスよりなる消火剤を供給する装置構成とすることにより、簡単な構造で経済的に製作できる油入変電機器の消火装置を提供することにある。
【課題を解決するための手段】
【００１２】
本発明の油入変電機器の消火装置は、油入変電機器とこの近傍に設置する他の機器間を、ブッシングと接続導体を用いて電気的に接続すると共に、前記接続個所は防護用ダクトにて包囲した油入変電機器において、前記防護用ダクトには火災感知器及びダクト用放圧手段を設け、前記防護用ダクトの近辺に不活性ガス消火化剤貯蔵ユニットを設置し、かつ前記防護用ダクトに不活性ガスを噴出させる少なくとも一つの噴出ヘッドを取付け、前記不活性ガス消火剤貯蔵ユニットと噴出ヘッド間を配管にて接続し、前記不活性ガス消火剤貯蔵ユニットは、前記油入変電機器の油温度計や圧力計の予め定めた出力信号値、或いは放圧装置の動作信号のいずれかに基づいて、又はこれら信号の組み合わせのうち複数が予め定めた状態に達したとき動作すると共に、前記火災感知器の感知出力にて前記不活性ガス消火剤貯蔵ユニットが応動するように構成したことを特徴としている。
【発明の効果】
【００１４】
本発明のように油入変電機器の消火装置を構成すれば、油入変電機器において火災発生の恐れのある場所を、他に機器との接続部のみの局所に特定化して消火対象範囲を縮小し、油入変電機器の監視盤の出力信号に基づき、特定部のみに不活性ガスを供給するものであるため、簡単な構造で経済的に製作することができる。
【発明を実施するための最良の形態】
【００１５】
本発明では、油入変電機器の近傍に他の機器を設置する。油入変電機器と他の機器は、ブッシングと接続導体を用いて電気的に接続し、この接続個所は防護用ダクトにて包囲している。防護用ダクトには火災感知器及びダクト用放圧手段を設け、防護用ダクトの近辺に不活性ガス消火剤貯蔵ユニットを設置し、防護用ダクトに取付けて不活性ガス消火剤を噴出させる少なくとも一つの噴出ヘッドを、不活性ガス消火剤貯蔵ユニットと配管にて接続している。不活性ガス消火剤貯蔵ユニットは、油入変電機器の油温度計や圧力計の予め定めた出力信号値、或いは放圧装置の動作信号のいずれかに基づいて、又はこれら信号の組み合わせのうち複数が予め定めた状態に達したとき動作と共に、前記火災感知器の感知出力にて前記不活性ガス消火剤貯蔵ユニットが応動するようにし、噴出ヘッドから不活性ガス消火剤を噴射するように構成している。
【実施例１】
【００１６】
以下、本発明の油入変電機器の消火装置を、図１に示す実施例を用いて説明する。図１の実施例では、発電所や変電所の敷地に据え付けた油入変圧器１の近傍に、他の機器である制御盤２を設置したものである。これら油入変圧器１と制御盤２間は、低圧側の各相のブッシング３と銅板やケーブル等の接続導体４により電気的に接続している。
【００１７】
ブッシング３と接続導体４による接続部分は、例えば金属板や難燃性の樹脂を用いて断面を矩形に形成した防護用ダクト５を使用し、三相分のブッシング３を一括して包囲することで、防護区画としている。これにより、防護用ダクト５で覆った防護区画を、油入変圧器１で火災等を引き起こす恐れのある防災個所に限定し、防災対策が簡便に行えるようにしている。
【００１８】
防護用ダクト５の近辺には、限定した防護区画用のＣＯ２ガス等の不活性ガス消火剤を貯蔵する不活性ガス消火剤貯蔵ユニット１０を設置している。この不活性ガス消火剤貯蔵ユニット１０は、防護用ダクト５に少なくとも一つ取付ける噴射ヘッド１１と、例えば銅管等を用いた配管１４によって接続し、後述するときに不活性ガス消火剤を防護区画である防護用ダクト５内に噴出させる。
【００１９】
制御盤２又はその近傍に回転灯１５等の警報器を取付け、また敷地内の適切な場所に拡声器１６等の警報器を設置している。これにより、不活性ガス消火剤貯蔵ユニット１０を起動して不活性ガス消火剤を噴出させたとき、制御盤２内の監視部２Ａが働いて警報を発するようにし、更に管理室１７にも通知するようにする。
【００２０】
不活性ガス消火剤貯蔵ユニット１０を起動し、噴射ヘッド１１から不活性ガス消火剤を噴出させるための起動手段としては、油温を計測する油温度計や内部のガス圧力を検出する圧力計の各出力信号、更には油入変圧器１に設ける放圧装置の動作したときの出力信号を、端子箱８から信号線９により制御盤２の監視部２Ａに導き、監視して活用する。
【００２１】
端子箱８は、油入変圧器１の側面下方に設けられ、内部の油温を計測する油温度計や内部のガス圧力を検出する圧力計の各出力信号値や、内部の圧力が急上昇したときに動作する放圧装置の動作信号を監視するために設けられる。また、端子箱８には、可燃ケーブルが使用されるので、この端子箱８内にも噴射ヘッドを設けて不活性ガス消火剤を噴射すれば、更に安全性を高めることができる。
【００２２】
油入変圧器１は、内部に異常が発生すると、油温度計や圧力計の出力値は急速に変化して高まってくるし、また油入変圧器１のタンク内圧が急激に上昇すると、タンクに設けた放圧装置が内圧の放出動作をする。本発明ではこれらを活用して、不活性ガス消火剤貯蔵ユニット１０の起動に活用する。
【００２３】
より具体的には、監視部２Ａでは、油温度計や圧力計の信号値が上昇して達する予め定めた各出力信号値、或いは放圧装置の動作信号のいずれかに基づいて、又はこれら信号の組み合わせのうち複数が予め定めた状態に達したとき、その時点で防護区画内は災害の発生の恐れが極めて大きいと判断する。この判断に基づいて、監視部２Ａは不活性ガス消火剤貯蔵ユニット１０を起動し、不活性ガス消火剤を噴射ヘッド１１から噴出させることによって、火災の発生を未然に防止する。
【００２４】
また、この実施例では防護区画である防護用ダクト５には、火災感知器１３も設けている。当然のことながら、火災感知器１３が防護用ダクト５内の火災を感知したときは、直ちに監視部２Ａが動作し、同様に不活性ガス消火剤貯蔵ユニット１０を起動して不活性ガス消火剤を噴出させる。これら監視部２Ａや不活性ガス消火剤貯蔵ユニット１０の電源としては、配電盤１の常用或いは非常用の電源２Ｂを使用する。
【００２５】
防護用ダクト５には、避圧弁等のダクト用放圧手段１２を設け、内部圧力が一定値以上に高まったときに動作させるようにしている。これにより、不活性ガス消火剤を噴射ヘッド１１から防災区画内に噴出させたとき、急激な内圧上昇で防護用ダクト５、及び各機器の構成部材を損傷されるのを防止することができる。
【００２６】
また、不活性ガス消火剤が、特にＣＯ２ガス等の不活性ガス消火剤のときは、不活性ガス消火剤貯蔵ユニット１０の動作後に、ダクト用放圧手段１２を動作させて防護用ダクト５内から排出すれば、作業者による内部の点検作業を速やかにかつ安全に行わせることができる。
【００２７】
図１の例では、ブッシング３とは反対の側面に、各相分の高圧側のブッシング６を設けており、ブッシング６はケーブルヘッド（図示せず）等を用いて他の機器と接続した構造である。このため、各相の接続部分も防護用ダクト７で包囲し、防護用ダクト７に噴射ヘッド１１を取付けて防災区画とし、配管１４によって不活性ガス消火剤貯蔵ユニット１０側と接続しており、これにより上記と同様に防災対策が簡便に行えるようにしている。
【００２８】
上記の実施例では、本発明の油入変電機器の消火装置を、油入変圧器を用いて説明したが、油入リアクトルや油入コンデンサ等に適用しても同様な効果を達成することができることは明らかである。
【図面の簡単な説明】
【００２９】
【図１】本発明の実施例である油入変電機器の消火装置を示す概略図である。
【符号の説明】
【００３０】
１…油入変圧器、２…制御盤、３，６…ブッシング、４…接続導体、５，７…防護用ダクト、１０…不活性ガス消火剤貯蔵ユニット、１１…噴出ヘッド、１２…ダクト用放圧手段、１３…火災感知器、１４…配管。
【図１】
0004892506.tif 000002